(57)【要約】【課題】  装置規模を小さくして３つの種類の字幕入力信号に対応できる字幕送出が可能なデジタル放送字幕送出装置を提供する。【解決手段】  デジタル放送字幕送出装置１は、それぞれ入力される交換字幕信号と、ＶＢＩ重畳信号と、ＳＤＩ信号重畳されたＶＡＮＣ字幕信号のバッファ１４１〜１４３を備え、各信号それぞれのＨＤ形式字幕領域ｈｒとＳＤ形式字幕領域ｓｒとアナログ字幕領域ａｒにバッファし、制御入力部からの切換制御信号によって選択された字幕信号のＨＤ形式字幕データとＳＤ形式字幕データとアナログ字幕データを並べた第２のＶＡＮＣ字幕データを生成し、ＳＤＩ信号に重畳してフレーム構成部１５から出力インタフェースを介して出力する。【選択図】  図２
2006203384.tif 000002
【特許請求の範囲】
【請求項１】
デジタル放送のＳＤＩ信号に字幕信号を重畳するデジタル放送字幕送出システムにおいて、
字幕信号を選択する切換信号を出力する制御入力部と、
アナログ放送のアナログビデオ信号またはＳＤＩ信号にアナログ字幕信号が重畳された入力信号から、ＨＤ形式とＳＤ形式とアナログとの字幕データを含むＶＢＩ重畳字幕信号と、ＨＤ、または、ＳＤのＳＤＩ信号とに分離して出力するＶＢＩ・字幕分離部と、
ＨＤ形式、ＳＤ形式、およびアナログの字幕データの少なくとも１つの字幕データを出力する交換字幕信号を出力する交換字幕送出部と、
ＨＤ形式、またはＳＤ形式の字幕データのいずれか１つの字幕データが第１のＶＡＮＣ字幕信号として重畳されたＨＤまたはＳＤのＳＤＩ信号と、もしくはＨＤ形式とＳＤ形式とアナログの字幕データとが第１のＶＡＮＣ字幕信号として重畳されたＨＤまたはＳＤのＳＤＩ信号と、前記ＶＢＩ・ＳＤＩ分離部から前記ＶＢＩ重畳字幕信号と、前記交換字幕送出部から前記交換字幕信号とが入力され、前記入力部から入力される前記切換信号により前記３つの字幕信号のいずれか選択された字幕信号に設定された前記ＨＤ形式字幕データと、前記ＳＤ形式字幕データと、前記アナログとの字幕データとをそれらの字幕データの各識別情報と共に並べた第２のＶＡＮＣ字幕信号として前記入力されたＳＩＤ信号に重畳して出力するデジタル字幕送出装置とを
具備することを特徴とするデジタル放送字幕送出システム。
【請求項２】
前記第１のＶＡＮＣ字幕信号がＨＤ形式、またはＳＤ形式の字幕データのいずれか１つの字幕データである場合、入力された形式の字幕データの所定のフォーマット変換を行うことにより他方の形式の字幕データおよびアナログ字幕データを生成して、前記ＨＤ形式と、前記ＳＤ形式、およびアナログの字幕データとを並べた前記第２のＶＡＮＣ字幕信号として出力することを特徴とする請求項１に記載のデジタル放送字幕送出システム。
【請求項３】
デジタル放送のＳＤＩ信号に字幕信号を重畳するデジタル字幕送出装置において、
前記デジタル字幕送出装置は、字幕信号の切換手段を備え、
ＨＤ形式、またはＳＤ形式の字幕データのいずれか１つの字幕データが第１のＶＡＮＣ字幕信号として重畳されたＨＤまたはＳＤのＳＤＩ信号と、もしくはＨＤ形式とＳＤ形式とアナログの字幕データとが第１のＶＡＮＣ字幕信号として重畳されたＨＤまたはＳＤのＳＤＩ信号と、アナログ放送のアナログビデオ信号またはＳＤＩ信号にアナログ字幕信号が重畳された入力信号から、前記アナログ文字信号をフォーマット変換して生成したＨＤ形式とＳＤ形式の字幕データおよびアナログ字幕データとを含むＶＢＩ重畳字幕信号と、ＨＤ形式とＳＤ形式の字幕データおよびアナログ字幕データの少なくともいずれか１つを含む交換字幕信号とが入力され、
前記切換手段により前記３つの字幕信号からいずれか１つが選択されると、前記選択された字幕信号に設定された前記ＨＤ形式字幕データと、前記ＳＤ形式字幕データと、前記アナログとの字幕データとをそれらの字幕データの各識別情報と共に並べた第２のＶＡＮＣ字幕信号として前記入力されたＳＩＤ信号に重畳して出力する
ことを特徴とするデジタル字幕送出装置。
【請求項４】
前記第１のＶＡＮＣ字幕信号がＨＤ形式、またはＳＤ形式の字幕データのいずれか１つの字幕データである場合、入力された形式の字幕データの所定のフォーマット変換を行うことにより他方の形式の字幕データおよびアナログ字幕データを生成して、前記ＨＤ形式、前記ＳＤ形式およびアナログの字幕データとを並べた前記第２のＶＡＮＣ字幕信号として出力することを特徴とする請求項３に記載のデジタル字幕送出装置。
【発明の詳細な説明】
【技術分野】
【０００１】
本発明は、  デジタル放送の文字幕送出システム、およびデジタル字幕送出装置に関する。
【背景技術】
【０００２】
近年、テレビ放送は、従来のアナログ放送に代わり、多機能なデジタル放送の導入が進んでいる。特に、文字放送については、従来の画面キャプションだけでなく、サイマル放送など多様な形式で利用されている。しかし、現在文字の放送利用については、放送信号もアナログ放送のキャプションを始め、高精細画面や、字幕放送など番組ソースと表示が様々に組合せた状態で利用される。
【０００３】
放送局では、放送信号を映像のＳＤＩ（Ｓｅｒｉａｌ  Ｄｅｇｉｔａｌ  Ｉｎｔｅｆａｃｅ）信号とＡＮＣデータ（Ａｎｃｉｌｌａｒｙ  Ｄａｔａ：補助情報）の組合せにしてスタジオ内のサブシステム間で入出力する方法がとられている。従来は、第１に字幕信号の信号源が字幕データが字幕送出装置から独立して出力される場合、第２にＶＴＲの様な装置からのＳＤＩ信号とＡＮＣデータの組合せのある場合、第３に、例えば、ＮＴＳＣフォーマットのアナログビデオ信号に文字データがアナログ重畳されたビデオ信号の場合など３種の入力条件が異なる入力信号を扱っていた。更に、地上アナログ放送は、まだ視聴者の大半が利用していることから、アナログ放送のキャプション文字を抽出してＨＤ（高品位、高精細）、または、ＳＤ（標準品位）テレビのデジタル文字情報に変換してＳＤＩ信号に重畳して出力するなどのデジタル放送の為に字幕情報を作り直す等の２度手間の処理を行うこともある（例えば、特許文献１、非特許文献１。）。
【０００４】
従来は、これら３つの種類の信号系統毎に、ＳＤＩ信号とＡＮＣデータを組み合わせる字幕送出装置を揃えていたが、装置規模も大きくなりコストがかかる、また各入力信号が独立した処理をしているため、番組切換などの際、異なった信号系統からの文字情報を入力してフォーマット変換を行い切換出力する時の文字表示のリアルタイム性にかけるなどの問題があった。
【特許文献１】特開２００２−３３０４０９号公報  （第４頁、第１図）
【非特許文献１】ＡＲＩＢ  ＳＴＤ―Ｂ３６  デジタルテレビジョン放送におけるデジタル字幕ファイル交換フォーマット。
【発明の開示】
【発明が解決しようとする課題】
【０００５】
デジタル放送の為に３種の入力条件が異なる入力信号を扱い、３つの種類の字幕入力信号毎に、ＳＤＩ信号とＡＮＣデータを組み合わせる字幕送出装置を揃えているが、システム規模が大きくコストがかかる、リアルタイム性に欠けるなどの問題があった。
【０００６】
本発明は上記問題を解決するためになされたもので、装置規模を小さくして３つの種類の字幕入力信号のリアルタイム切換に対応できる字幕送出が可能なデジタル放送字幕送出システム、および字幕送出装置を提供することを目的とする。
【課題を解決するための手段】
【０００７】
上記目的を達成するために、本発明のデジタル放送字幕送出システムは、デジタル放送のＳＤＩ信号に字幕信号を重畳するデジタル放送字幕送出システムにおいて、字幕信号を選択する切換信号を出力する制御入力部と、アナログ放送のアナログビデオ信号またはＳＤＩ信号にアナログ字幕信号が重畳された入力信号から、ＨＤ形式とＳＤ形式とアナログとの字幕データを含むＶＢＩ重畳字幕信号と、ＨＤ、または、ＳＤのＳＤＩ信号とに分離して出力するＶＢＩ・字幕分離部と、ＨＤ形式、ＳＤ形式、およびアナログの字幕データの少なくとも１つの字幕データを出力する交換字幕信号を出力する交換字幕送出部と、ＨＤ形式、またはＳＤ形式の字幕データのいずれか１つの字幕データが第１のＶＡＮＣ字幕信号として重畳されたＨＤまたはＳＤのＳＤＩ信号と、もしくはＨＤ形式とＳＤ形式とアナログの字幕データとが第１のＶＡＮＣ字幕信号として重畳されたＨＤまたはＳＤのＳＤＩ信号と、前記ＶＢＩ・ＳＤＩ分離部から前記ＶＢＩ重畳字幕信号と、前記交換字幕送出部から前記交換字幕信号とが入力され、前記入力部から入力される前記切換信号により前記３つの字幕信号のいずれか選択された字幕信号に設定された前記ＨＤ形式字幕データと、前記ＳＤ形式字幕データと、前記アナログとの字幕データとをそれらの字幕データの各識別情報と共に並べた第２のＶＡＮＣ字幕信号として前記入力されたＳＩＤ信号に重畳して出力するデジタル字幕送出装置とを具備することを特徴とする。
【０００８】
また、本発明のデジタル字幕送出装置は、デジタル放送のＳＤＩ信号に字幕信号を重畳するデジタル字幕送出装置において、前記デジタル字幕送出装置は、字幕信号の切換手段を備え、ＨＤ形式、またはＳＤ形式の字幕データのいずれか１つの字幕データが第１のＶＡＮＣ字幕信号として重畳されたＨＤまたはＳＤのＳＤＩ信号と、もしくはＨＤ形式とＳＤ形式とアナログの字幕データとが第１のＶＡＮＣ字幕信号として重畳されたＨＤまたはＳＤのＳＤＩ信号と、アナログ放送のアナログビデオ信号またはＳＤＩ信号にアナログ字幕信号が重畳された入力信号から、前記アナログ文字信号をフォーマット変換して生成したＨＤ形式とＳＤ形式の字幕データおよびアナログ字幕データとを含むＶＢＩ重畳字幕信号と、ＨＤ形式とＳＤ形式の字幕データおよびアナログ字幕データの少なくともいずれか１つを含む交換字幕信号とが入力され、前記切換手段により前記３つの字幕信号からいずれか１つが選択されると、前記選択された字幕信号に設定された前記ＨＤ形式字幕データと、前記ＳＤ形式字幕データと、前記アナログとの字幕データとをそれらの字幕データの各識別情報と共に並べた第２のＶＡＮＣ字幕信号として前記入力されたＳＩＤ信号に重畳して出力することを特徴とする。
【発明の効果】
【０００９】
本発明によれば、装置規模が小さく、リアルタイム性を備えた３つの種類の字幕入力信号に対応できる字幕送出が可能なデジタル放送字幕送出システムを提供することが出来る。
【発明を実施するための最良の形態】
【００１０】
以下、図面を参照して本発明の実施例を説明する。
【実施例１】
【００１１】
図１は、本発明の実施例１に係るデジタル放送字幕送出システムの機能構成を示すブロック図である。  
以下、図１を参照してデジタル放送字幕送出システムの構成と、動作概要を説明する。
【００１２】
図１においては、デジタル放送字幕送出システム７は、デジタル字幕送出装置１、字幕送出部２、ＳＤＩ・字幕分離部３、制御入力部４と、スイッチャ部５とを備えている。また、デジタル放送字幕送出システム５には、デジタル放送信号を出力するサブシステム６が接続されている。
【００１３】
デジタル字幕送出装置１は、それぞれ字幕信号を出力する字幕送出部２、ＳＤＩ・字幕分離部３と、スイッチャ部５を介して複数のサブシステム６が接続される。そして制御入力部４から入力される切換制御信号により上記の３つの装置のいずれかからの字幕信号を選択入力し、スイッチャ部を介して入力された映像信号のＳＤＩ（Ｓｅｒｉａｌ  Ｄｅｇｉｔａｌ  Ｉｎｔｅｒｆａｃｅ）信号に、後述する３種類からなるＡＮＣ（Ａｎｃｉｌｌａｒｙ：補助データ）字幕信号を並べて重畳した信号を生成して出力する。
【００１４】
ＳＤＩ・字幕分離部３は、ＮＴＳＣ信号の様なアナログ映像信号にアナログ字幕信号（データ）のＶＢＩ字幕信号が重畳されたビデオ信号、または、アナログ映像信号をデジタルのＳＤ−ＳＤＩ信号に変換した映像信号にＶＢＩ字幕信号を重畳したデジタルビデオ信号が入力される。
【００１５】
そして、ＳＤ、またはＨＤのＳＤＩ信号と字幕信号とに分離され、それぞれＳＤＩ変換出力部３２、アナログ字幕抽出部３１から出力される。アナログ映像信号がデジタル放送字幕送出システムに入力されてもＳＤＩ・字幕分離部３のＳＤＩ・ＳＤＩ変換出力部３２によって、デジタルのＳＤＩ信号に変換されスイッチャ部５を介してデジタル字幕出力装置１へ入力されるので、映像情報と字幕信号をデジタルで重畳処理することが可能になる。そして、デジタル字幕出力装置１は、複数の字幕信号の送信源からの字幕信号を選択し、また選択した文字情報を３種類の字幕データが並べられた字幕信号と映像情報が重畳されたＳＤＩ信号に出力することができるようになる。
【００１６】
制御入力部４は、ボタンスイッチや表示器等を備える卓パネル４１、ＡＰＣ（自動番組送出制御装置）４２、字幕情報を入力する為の字幕操作パネル４３を備える。ＡＰＣ４２は、スイッチャ部５へスイッチャ部５に入力されるサブシステム６、または、ＳＤＩ・字幕分離部３からのＳＤＩ信号を選択してデジタル字幕送出装置１へ出力する切換制御信号を出力すると共に、デジタル字幕送出装置１へ字幕送出部２〜スイッチャ部５のいずれの構成からの字幕信号を選択する切換制御信号を出力する。
【００１７】
デジタル字幕送出装置１へは、以下の３つの信号源からの字幕信号が入力される。
【００１８】
第１の信号源である字幕送出部２からは、交換字幕信号が入力される。この交換字幕信号は、文字放送される文字データであって、オフラインで制作されたＮＡＢ策定のアナログ文字放送字幕データ（以下、アナログ字幕データと称する。）と、ＡＲＩＢ策定デジタルデータ、即ち、ＨＤ−ＳＤＩ信号のＶＡＮＣ領域に記述されるＨＤ形式字幕データ、およびＳＤ−ＳＤＩ信号のＶＡＮＣ領域に記述されるＳＤ形式字幕データの３者を総称している。この字幕送出部２へは、制御入力部４の卓パネル４１、ＡＰＣ４２、字幕操作パネル４３等から、ＬＡＮ、または内部バス、もしくは制御ライン等により各種の字幕制御信号が入力され、それらを編集した字幕信号がデジタル字幕送出装置１へ出力される。
【００１９】
第２にＳＤＩ・字幕分離部３からＶＢＩ重畳字幕信号が入力される。ＳＤＩ・字幕分離部３へは、前述のＮＴＳＣアナログ信号、又は、ＳＤ―ＳＤＩ信号に重畳したＶＢＩ（Ｖｅｒｔｉｃａｌ  Ｂｌａｎｋｉｎｇ  Ｉｎｔｅｒｖａｌ：垂直同期空き時間）字幕信号（アナログ字幕データ）が入力される。このアナログ字幕データは、ＮＡＢ策定に標準規格に従うものなので、ＶＢＩ字幕信号をＡＲＩＢ標準規格のＨＤ−ＳＤＩ信号のＶＡＮＣ領域に記述されるＨＤ形式字幕データ、ＳＤ−ＳＤＩ信号のＶＡＮＣ領域に記述されるＳＤ形式字幕データにフォーマット変換をすることが出来る。
【００２０】
従って、ＳＤＩ・字幕分離部３のアナログ字幕抽出部３１は、ＶＢＩ字幕信号をＨＤ形式字幕データ、ＳＤ形式字幕データ、およびアナログ字幕データの３つの種類の字幕データからなる（以下、ＶＢＩ重畳字幕信号と称する。）字幕信号に変換してデジタル字幕送出装置１へ出力する。
【００２１】
第３は、スイッチャ部５を介してサブシステム６からＨＤ−ＳＤＩ、またはＳＤＩ信号に重畳されたＶＡＮＣ字幕信号が入力される。サブシステム６から入力される字幕信号は、上記のＳＤＩ信号のＶＡＮＣ（Ｖｅｒｔｉｃａｌ  Ａｎｃｉｌｌａｒｙ）領域に重畳されている補助データで記述された字幕データである。このＶＡＮＣ字幕信号が重畳されたＳＤＩ信号は、放送局の、例えば、ＶＴＲ等のサブシステム６からスイッチャ部５に出力され、制御入力部４からの切換制御信号によりスイッチャ部５で選択されたＳＤＩ信号はＶＡＮＣ字幕信号が重畳されたままデジタル字幕送出装置１へ出力される。
【００２２】
図２は、デジタル字幕送出装置１の機能構成を示すブロック図である。  
図２において、デジタル字幕送出装置１は、それぞれが、内部バス等で接続されるＣＰＵ１１、メモリ１２、フレーム分離部１３、字幕信号処理部１４、フレーム構成部１５と、出力インタフェース１６とを備える。
【００２３】
ＣＰＵ１１には、内部バスを介して制御入力部４のＡＰＣ４２から各字幕信号を選択する切換制御信号が入力される。ＣＰＵ１１は、メモリ１２から所定の処理プログラムを読み出して起動したり、参照データを読み出すことにより上記の字幕送出部２、ＳＤＩ・字幕分離部３、およびスイッチャ部５から入力される字幕信号を選択する制御、また選択された字幕信号を所定のフォーマットで並べたＡＮＣデータにしてＳＤＩ信号と重畳する等の制御を行う。
【００２４】
フレーム分離部１３は、スイッチャ部５から入力されるＨＤ、または、ＳＤのＳＤＩ信号をＶＡＮＣ字幕信号とＳＤＩ信号（映像情報）とに分離し、ＶＡＮＣ字幕信号を字幕信号処理部１４へ、ＳＤＩ信号をフレーム構成部１５へ出力する。なお、フレーム分離部１３に入力されるＳＤＩ信号が前述のＳＤＩ・字幕分離部３から出力されスイッチャ部５を介して入力される場合には、そのＳＤＩ信号は、字幕が重畳されていない映像情報のみの信号である。
【００２５】
字幕信号処理部１４は、字幕送出部２からの交換字幕信号と、ＳＤＩ・字幕分離部３からのＶＢＩ字幕信号と、フレーム分離部１３からのＶＡＮＣ字幕信号をバッファ１４１〜バッファ１４３へ入力して、それらの字幕データをバッファし、ＣＰＵ１１からの切換信号に従って、所要のバッファした信号の字幕データをフレーム構成部１５へ出力し、出力指示されなかったバッファしたデータを廃棄する。
【００２６】
フレーム構成部１５は、ＣＰＵ１１の制御、即ち、ＡＰＣ４２から指定された信号源からの字幕データをＳＤＩ信号に重畳して出力インタフェース１６に出力する。
【００２７】
出力インタフェース１６は他のサブシステムにＳＤＩ信号とＡＮＣデータとが重畳されたビデオ信号を出力する。
【００２８】
図３、図４、図５は、それぞれデジタル字幕送出装置１に入力される、字幕送出部２、ＳＤＩ・字幕分離部３、およびスイッチャ部５を介したサブシステム６からの字幕信号のデータフォーマットの例を示す。  
以下、図３〜図５を参照して、デジタル字幕送出装置１における字幕信号の処理について説明する。
【００２９】
図３は、字幕送出部２から出力される字幕信号（パケット）のデータフォーマットを示し、図３（ａ）〜（ｃ）は、各字幕データが１つだけ出力される場合であって、それぞれＨＤ―ＳＤＩ信号のＨＤ形式字幕データ、ＳＤ―ＳＤＩ信号のＳＤ形式字幕データ、アナログ字幕データである。
【００３０】
各字幕データは、例えば、標準規格（ＡＲＩＢ  ＳＴＤ―Ｂ３７  補助データパケット形式で伝送されるデジタルデータの構造と運用）に準じたデータフレーム構造を持つが、ここでは、本発明に関する字幕フィールドＩＤと文字データワードＤＷの２つの構成だけを記載している。
【００３１】
即ち、各字幕データの字幕フィールドＩＤには、例えば、ＨＤ形式字幕データには「１」、ＳＤ形式字幕データには「２」、アナログ字幕データには「３」の様に、当該字幕信号がどの字幕データであるかの識別情報が設定されて字幕送出部２から出力される。また、各文字データワードにも、例えば、前記標準規格に従ってそれぞれの字幕データの書式で画面に表示されるデータが記述されている。
【００３２】
図３（ｄ）は、サイマル放送が代表例であり、字幕送出部２から出力される字幕信号が、３種類の字幕信号を同一のパケットで出力する場合の交換字幕のデータフォーマットである。図３（ｄ）では、先頭からＨＤ形式字幕データｃ１、ＳＤ形式字幕データｃ２、アナログ字幕データｃ３が順に並んで出力され、各字幕データの字幕フィールドＩＤと文字データワードの内容は図３（ａ）〜（ｃ）と同じである。従って、このパケットが入力されたデジタル字幕送出装置１は、字幕フィールドＩＤからそれぞれの字幕データを特定することが出来る。
【００３３】
図４は、ＳＤＩ・字幕分離部３が出力するＶＢＩ重畳字幕信号を示し、前述の様に３つの字幕データが出力されるので、図３（ｄ）と同じデータフォーマットになる。
【００３４】
図５は、サブシステム６から入力されるＶＡＮＣ字幕信号のデータフォーマットである。図５（ａ）は、サブシステム６がＨＤ、または、ＳＤのＳＤＩ信号とそれに対応した字幕信号（字幕データ）１つを重畳した信号で出力する場合のデータフォーマット、図５（ｂ）は、サブシステム６が、本発明のデジタル字幕送出装置１が出力と同様なＨＤ、または、ＳＤのＳＤＩ信号に３種類の字幕信号が並べて重畳されたビデオ信号と同じ形式のビデオ信号を出力する場合のデータフォーマットである。ＶＡＮＣ字幕信号は、前記の標準規格で定められるデジタル放送信号のデータフレームフォーマットに従って、ＡＮＣ領域のＶＡＮＣ領域の字幕領域に設定される。この３種類の並べられた字幕データの構成や内容は、図３の（ａ）〜（ｄ）と同様である。
【００３５】
図６は、デジタル字幕送出装置１のバッファ１４１〜１４３のバッファ領域の概念を説明する図である。  
バッファ１４１〜１４３は、いずれも、ＨＤ形式字幕データをバッファするＨＤ形式字幕領域ｈｒ、および同様のＳＤ形式字幕領域ｓｒ、アナログ字幕領域ａｒの３領域を備え、後述の様に各３種類の字幕信号毎に入力される各字幕データをバッファする。
【００３６】
続いて、本発明の実施例のデジタル放送字幕送出システム７が放送番組の切換に伴い、字幕信号を切り換えて出力する処理について図１〜図６を参照して説明する。図１において、放送は、過去の報道記録番組を再放送中であるとする。この場合放送信号は、ＮＴＳＣ信号出力のＶＴＲから出力され、ＳＤＩ・字幕分離部３からのＳＤＩ信号（ここでは、ＳＤ−ＳＤＩ信号とする。）がスイッチャ部５を介してデジタル字幕送出装置１のＳＤＩ信号入力端子へ入力されている。
【００３７】
一方、ＮＴＳＣ信号に重畳されていたＶＢＩ字幕信号は、アナログ字幕データの文字データワードＤＷにアナログ字幕書式で「日本の将来．．．」が設定されているが、ＳＤＩ・字幕分離部３のアナログ字幕抽出部３１からは、図４に示される様にＨＤ形式、ＳＤ形式及びアナログ字幕データの文字データワードＤＷにそれぞれの書式で「日本の将来．．．」が設定され、デジタル字幕送出装置１へ出力される。そして、デジタル字幕送出装置１ではバッファ１４２の前記各領域にそれぞれの字幕データがバッファされる。また、ＡＰＣ４２からの切換制御信号により、デジタル字幕送出装置１は、ＳＤＩ・字幕分離部３からのＶＢＩ重畳信号が選択されているので、バッファ１４２にバッファされた「日本の将来．．．」が３種類の字幕データの文字データワードＤＷに設定され、図５（ｂ）に示されるフォーマットの新たなＶＡＮＣ字幕信号として重畳されたＳＤＩ信号が外部のサブシステムへ出力される。
【００３８】
この放送中に、緊急特別報道番組が放送されることになり、例えば「本日、ＯＯ首相が．．．」を字幕表示することになったとする。字幕送出部２は、オペレータから字幕操作パネル４３により入力された「本日、ＯＯ首相が．．．」の３つの交換字幕データを図３（ｄ）のフォーマットにしてデジタル字幕送出装置１へ出力する。そして、各交換字幕データは、バッファ１４１にバッファされる。
【００３９】
その後ＡＰＣ４２からの切換制御信号がデジタル字幕送出装置１へ入力されると、ＣＰＵ１１は、バッファから出力する字幕データをバッファ１４２からバッファ１４１にバッファされた字幕データに切り換える。そして、デジタル字幕送出装置１から出力されるＳＤＩ信号には３種類の「本日、ＯＯ首相が．．．」の字幕データがＶＡＮＣ字幕信号として図５（ｂ）に示されるフォーマットで重畳される。
【００４０】
次に、ＨＤ放送（ＨＤ―ＳＤＩ信号に重畳される信号）の字幕データ処理について説明する。ここでは、ＨＤ放送の為に録画された番組信号が、図５（ａ）のフォーマットでＨＤ記録用のＶＴＲからＨＤ形式の字幕データのみが重畳されて出力されているとする。この様な番組は、アナログ放送を念頭に置かず美術番組など特に高精細な画像の放送を目的に制作された場合に準備される。この場合、ＡＰＣ４２からＨＤ方式のＶＴＲを接続先のサブシステム６とする様に切換制御信号がスイッチャ５とデジタル字幕送出装置１へ出力される。
【００４１】
この場合、ＨＤ方式のＶＴＲから入力される字幕信号は、図５（ａ）のＨＤ形式字幕データのみであり、ＣＰＵ１１は、字幕フィールドＩＤ「１」を判読し、図６のバッファ１４３のＨＤ字幕領域ｈｒ部分にのみ、例えば、「西欧芸術」の字幕データがバッファされるが、他のバッファ領域に入れる字幕データは入力されない。
【００４２】
ＣＰＵ１１は、バッファ１４３に字幕データを並べるのにＨＤ形式字幕データの字幕識別フィールドには「１」を設定し、文字データワードには「西欧芸術」の文字データが設定された字幕データをバッファする。一方、データがないＳＤ形式字幕データとアナログ字幕データの字幕識別フィールドには無効を示す、例えば、「０」が設定され、文字データワードは、空、または、ダミーデータが設定される。即ち、デジタル字幕送出装置１から出力されるＳＤＩ信号には、３種類の字幕データ領域を持つ字幕信号が外部のサブシステムへ出力されることは他の場合と同様であるが、有効な字幕データはＨＤ形式のみであり、放送対象でないＳＤデジタルおよびアナログ放送の字幕データは、無効に設定される。
【００４３】
なお、ＶＡＮＣ字幕信号が、図５（ｂ）の様に３種類の字幕データを含む場合で有れば、バッファ１４３の３領域には、それぞれ該当する字幕データが設定されることは勿論である。
【００４４】
こうしてデジタル字幕送出装置１から出力されたＳＤＩ信号が入力される外部のサブシステムは、ＨＤかＳＤかそれともアナログ向けかの機材のいずれかであるが、字幕識別フィールドＩＤの「１」〜「３」を判読し、自装置に対応するいずれかの字幕データを取得すればよい。従って、従来の様に字幕形式（放送形式）毎に字幕送出装置を準備しなくても済ませることができる。
【実施例２】
【００４５】
実施例１のデジタル字幕送出装置１は、入力されるＳＤＩ信号がＨＤ形式字幕データのみしか含まないような場合、ＳＤ字幕データとアナログ字幕データは出力されない。しかし、ハイビジョン画像をアナログ放送でも放送する場合がある。そのような場合は、ＨＤ形式字幕データをアナログ字幕データに変換する変換装置を更にデジタル字幕送出装置１とサブシステムとの間に付加し無ければならず装置数が増える欠点があった。そこで、実施例２は、デジタル字幕送出装置１が、ＳＤＩ信号に重畳されたＶＡＮＣ字幕信号から３種類の字幕データを出力するコンバータ機能を備えている。
【００４６】
図７は、実施例２におけるデジタル字幕送出装置１の機能構成を示すブロック図である。  
図７においてデジタル字幕送出装置１は、字幕コンバータ部１４３１がフレーム分離部１３とバッファ１４３との間に挿入されている以外は、実施例１と同様である。字幕コンバータ部１４３１は、入力されるＳＤＩ信号のＶＡＮＣ字幕データを判読し、１つの字幕データしかない字幕信号であった場合は、識別フィールドＩＤの「１」〜「３」を判読する。そして、当該字幕データ（ここでは、「１」が設定されたＨＤ形式字幕データとする。）から他の、前記の標準規格に該当するフォーマットに変換してＳＤ形式字幕データおよびアナログ字幕データを生成することにより、ＨＤ形式字幕領域ｈｒ、およびＳＤ形式字幕領域ｓｒ、アナログ字幕領域ａｒへ各字幕データを設定する。なお、ＶＡＮＣ字幕信号がＳＤ字幕データのみしか含まれない場合には、ＨＤ字幕データと、アナログ字幕データが生成される。
【００４７】
この字幕コンバータ部１４３１は、独立した回路でなく、ＣＰＵ１１が、フレーム分離部１３から内部バスへ出力される信号を判読して、ＨＤ形式字幕データでしかない場合、ＳＤ形式字幕データ、（ＨＤ形式字幕データしか入力されない場合は、ＳＤ形式字幕データ）およびアナログ字幕データを生成するものであっても良い。
【００４８】
以上の説明の如く、本発明の実施例のデジタル放送字幕送出システムでは、各字幕データの信号源から入力された３種類の字幕データが重畳されたＳＤＩ信号がデジタル字幕送出装置１から出力される。そして、そのＳＤＩ信号が入力される外部のサブシステムは、自装置が、ＨＤかＳＤかそれともアナログ向けかの機材毎に対応する字幕識別フィールドの「１」〜「３」を判読してその字幕データを取得することにより、従来の様に放送形式毎に字幕送出装置を準備しなくても済ませることができる。
【００４９】
従って本発明のデジタル放送字幕送出システムは、従来よりも装置構成が少なく済ませ、かつＳＤＩ信号の送信側では字幕データの切換が容易であり、受信側では共通したデータパケットから所要の字幕データを自動的に取得できるので、リアルタイム性が優れたデジタル放送字幕送出システム、および字幕送出装置が提供出来る。
【図面の簡単な説明】
【００５０】
【図１】本発明の実施例１に係るデジタル放送字幕送出システムの機能構成を示すブロック図。
【図２】デジタル字幕送出装置の機能構成を示すブロック図。
【図３】デジタル字幕送出装置に入力される字幕送出部からの入力信号のデータフォーマットの例。
【図４】デジタル字幕送出装置に入力されるアナログ抽出部からの入力信号のデータフォーマットの例。
【図５】デジタル字幕送出装置１に入力されるサブシステムからの入力信号のデータフォーマットの例。
【図６】デジタル字幕送出装置のバッファのバッファ領域の概念を説明する図。
【図７】本発明の実施例２に係るデジタル字幕送出装置の機能構成を示すブロック図。
【符号の説明】
【００５１】
１  デジタル字幕送出装置
１１  ＣＰＵ
１２  メモリ
１３  フレーム分離部
１４字幕信号処理部
１５  フレーム構成部
１６  出力インタフェース部
１４１〜１４３  バッファ
１４３１  字幕コンバータ部
２  字幕送出部
３  ＳＤＩ・字幕分離部
３１  アナログ字幕抽出部
３２  ＳＤＩ変換出力部
４  制御入力部
４１  卓パネル
４２  ＡＰＣ
４３  字幕操作パネル
５  スイッチャ部
６  サブシステム
７  デジタル放送字幕送出システム
ａ１  ＡＮＣデータ
ｃ１  ＨＤ形式字幕信号
ｃ２  ＳＤ形式字幕信号
ｃ３  アナログ字幕データ
ＩＤ  文字データ識別フィールド
ｖ１  ＶＡＮＣ  データ
ｈｒ  ＨＤ形式字幕領域
ｓｒ  ＳＤ形式字幕領域
ａｒ  アナログ（字幕）領域
【図１】
2006203384.tif 000003
【図２】
2006203384.tif 000004
【図３】
2006203384.tif 000005
【図４】
2006203384.tif 000006
【図５】
2006203384.tif 000007
【図６】
2006203384.tif 000008
【図７】
2006203384.tif 000009